(57)【要約】【課題】  センサによる検知結果に応じて提供する広告などの情報を切替える。【解決手段】  提供情報データベース２ａに、広告などの情報を記憶しておく。そして、移動速度演算部２ｃと対象人数演算部２ｄとにより、サーモセンサによる検出結果を利用して所定の範囲に所定の速度以下で移動（歩行）している人の人数が取得される。そして、取得された人数分の情報が提供情報抽出部２ｅにより提供情報データベース２ａから取り出され、取り出された情報が提供情報編集部２ｆにより編集されて表示情報が作成される。この表示情報が表示情報送信部２ｇからプロジェクタへ送信され、プロジェクタによりスクリーンに表示される。【選択図】  図３
2006235311.tif 000002
【特許請求の範囲】
【請求項１】
投影手段により投影画像を表示部に投影する情報表示装置と、前記表示部の所定の範囲を検出するセンサと、前記センサの検出結果に応じて前記情報表示装置へ前記投影画像を出力する情報出力装置と、を備えた情報出力システムであって、
前記情報出力装置は、
前記情報表示装置の表示部に投影する前記投影画像を記憶する記憶部と、
前記センサの検出結果を前記センサから受信する受信部と、
前記受信部により受信される前記センサの検出結果を基に前記所定の範囲における人物の状況を解析する判断部と、
前記判断部により前記所定の範囲における人物の状況に応じて前記記憶部から所定の前記投影画像を取り出す取出部と、
前記取出部により取り出される前記投影画像を前記情報表示装置へ送信する送信部と、
を備えたことを特徴とする情報出力システム。
【請求項２】
投影手段により投影画像を表示部に投影する情報表示装置と、前記表示部の所定の範囲を検出するセンサと、前記センサの検出結果に応じて前記情報表示装置へ前記投影画像を出力する情報出力装置と、を備えた情報出力システムであって、
前記情報出力装置は、
車のナンバープレートに記された分類番号と該分類番号の内容に応じた前記投影画像とを関連付けて記憶する記憶部と、
前記センサの検出結果を前記センサから受信する受信部と、
前記受信部により受信される前記センサの検出結果を基に車のナンバープレートに記された前記分類番号を取得する取得部と、
前記取得部により取得される前記分類番号に関連付けて記憶されている前記投影画像を前記記憶部から取り出す取出部と、
前記取出部により取り出される前記投影画像を前記情報表示装置へ送信する送信部と、
を備えたことを特徴とする情報出力システム。
【請求項３】
投影手段により表示部に投影される投影画像を記憶する記憶部と、
前記表示部の所定の範囲を検出するセンサから検出結果を受信する受信部と、
前記受信部により受信される前記センサの検出結果を基に前記所定の範囲における人物の状況を解析する判断部と、
前記判断部により前記所定の範囲における人物の状況に応じて前記記憶部から所定の前記投影画像を取り出す取出部と、
投影手段により投影画像を前記表示部に投影する情報表示装置に対して前記取出部により取り出される前記投影画像を送信する送信部と、
を備えたことを特徴とする情報出力装置。
【請求項４】
前記判断部は前記所定の範囲に人が存在するか否かを判断し、
前記判断部により前記所定の範囲に人が存在するか否かに応じて前記取出部は前記記憶部から前記投影画像を取り出すことを特徴とする請求項３に記載の情報出力装置。
【請求項５】
前記記憶部は複数の情報を記憶しており、
前記判断部は前記所定の範囲に存在する人の数を判断し、
前記判断部により判断される人の数に相当する数の情報に応じて前記取出部は前記記憶部から前記投影画像を取り出すことを特徴とする請求項３に記載の情報出力装置。
【請求項６】
前記判断部は前記所定の範囲に存在する人の動く速度を判断し、
前記判断部により判断される人の速度に応じて前記取出部は前記記憶部から前記投影画像を取り出すことを特徴とする請求項３に記載の情報出力装置。
【請求項７】
前記判断部は前記所定の範囲に存在する人の推測年齢を判断し、
前記判断部により判断される人の推測年齢に応じて前記取出部は前記記憶部から前記投影画像を取り出すことを特徴とする請求項３に記載の情報出力装置。
【請求項８】
投影手段により表示部に投影される投影画像を車のナンバープレートに記された分類番号と該分類番号の内容に応じた前記投影画像とを関連付けて記憶する記憶部と、
前記表示部の所定の範囲を検出するセンサから検出結果を受信する受信部と、
前記受信部により受信される前記センサの検出結果を基に車のナンバープレートに記された前記分類番号を取得する取得部と、
前記取得部により取得される前記分類番号に関連付けて記憶されている前記投影画像を前記記憶部から取り出す取出部と、
投影手段により投影画像を前記表示部に投影する情報表示装置に対して前記取出部により取り出される前記投影画像を送信する送信部と、
を備えたことを特徴とする情報出力装置
【請求項９】
投影手段により表示部に投影される投影画像を記憶部が記憶するステップ、
前記表示部の所定の範囲を検出するセンサから検出結果を受信部が受信するステップ、
前記受信部により受信される前記センサの検出結果を基に前記所定の範囲における人物の状況を判断部が解析するステップ、
前記判断部により前記所定の範囲における人物の状況に応じて前記記憶部から所定の前記投影画像を取出部が取り出すステップ、
投影手段により投影画像を前記表示部に投影する情報表示装置に対して前記取出部により取り出される前記投影画像を送信部が送信するステップ、
を有することを特徴とする情報出力方法。
【請求項１０】
投影手段により表示部に投影される投影画像を記憶部が記憶する手順、
前記表示部の所定の範囲を検出するセンサから検出結果を受信部が受信する手順、
前記受信部により受信される前記センサの検出結果を基に前記所定の範囲における人物の状況を判断部が解析する手順、
前記判断部により前記所定の範囲における人物の状況に応じて前記記憶部から所定の前記投影画像を取出部が取り出す手順、
投影手段により投影画像を前記表示部に投影する情報表示装置に対して前記取出部により取り出される前記投影画像を送信部が送信する手順、
を実行させることを特徴とする情報出力プログラム。
【請求項１１】
投影手段により表示部に投影される投影画像を記憶部が記憶する手順、
前記表示部の所定の範囲を検出するセンサから検出結果を受信部が受信する手順、
前記受信部により受信される前記センサの検出結果を基に前記所定の範囲における人物の状況を判断部が解析する手順、
前記判断部により前記所定の範囲における人物の状況に応じて前記記憶部から所定の前記投影画像を取出部が取り出す手順、
投影手段により投影画像を前記表示部に投影する情報表示装置に対して前記取出部により取り出される前記投影画像を送信部が送信する手順、
を実行させる情報出力プログラムを記録したコンピュータが読み取り可能な記録媒体。
【発明の詳細な説明】
【技術分野】
【０００１】
本発明は、広告などの情報を店舗のウインドウなどに表示する情報出力システム、情報出力装置、情報出力方法、および情報出力プログラム、並びに、この情報出力プログラムを記録したコンピュータが読み取り可能な記録媒体に関する。
【背景技術】
【０００２】
広告などの情報を窓ガラスなどに表示することは従来から行われてきた。例えば、携帯電話機を所持している顧客が窓ガラスの前を通りかかると、ＩＣリードライタが携帯電話機から携帯電話番号を読み取り、顧客データベースを利用してこの携帯電話番号をもとに顧客が既登録済み会員であるか認証する。そして、既登録済み会員であれば、各会員の購買実績を記憶する購買データベースを利用してこの顧客のこれまでの購買実績を入手し、入手した購買実績に応じた広告を窓ガラスに表示する（例えば、特許文献１参照。）。
【特許文献１】特開２００２−２４４６０８号公報
【発明の開示】
【発明が解決しようとする課題】
【０００３】
しかしながら、上記において、広告などの情報が提供されるのは窓ガラスの前を通りかかる際に携帯電話機を所持している顧客が既登録済み会員である場合に限られる。つまり、窓ガラスの前を通りかかる際に携帯電話機を所持している顧客が会員登録をしていなければ、広告などの情報が提供されない。
【０００４】
そこで、本発明は、顧客の会員登録の有無に関係なく、センサによる検知結果に応じて提供する広告などの情報を切替えることが可能な情報出力システム、情報出力装置、情報出力方法、および情報出力プログラム、並びに、この情報出力プログラムを記録したコンピュータが読み取り可能な記録媒体を提供することを目的とする。
【課題を解決するための手段】
【０００５】
上記目的を達成するために、本発明は、投影手段により投影画像を表示部に投影する情報表示装置と、前記表示部の所定の範囲を検出するセンサと、前記センサの検出結果に応じて前記情報表示装置へ前記投影画像を出力する情報出力装置と、を備えた情報出力システムであって、前記情報出力装置は、前記情報表示装置の表示部に投影する前記投影画像を記憶する記憶部と、前記センサの検出結果を前記センサから受信する受信部と、前記受信部により受信される前記センサの検出結果を基に前記所定の範囲における人物の状況を解析する判断部と、前記判断部により前記所定の範囲における人物の状況に応じて前記記憶部から所定の前記投影画像を取り出す取出部と、前記取出部により取り出される前記投影画像を前記情報表示装置へ送信する送信部と、を備えたことを特徴とする情報出力システムである。
本発明によれば、センサによる検知結果に基づき、センサが検出する所定の範囲における人物の状況に応じて情報表示装置の表示部に表示される情報を切替えることが可能になる。
【０００６】
また、本発明は、投影手段により投影画像を表示部に投影する情報表示装置と、前記表示部の所定の範囲を検出するセンサと、前記センサの検出結果に応じて前記情報表示装置へ前記投影画像を出力する情報出力装置と、を備えた情報出力システムであって、前記情報出力装置は、車のナンバープレートに記された分類番号と該分類番号の内容に応じた前記投影画像とを関連付けて記憶する記憶部と、前記センサの検出結果を前記センサから受信する受信部と、前記受信部により受信される前記センサの検出結果を基に車のナンバープレートに記された前記分類番号を取得する取得部と、前記取得部により取得される前記分類番号に関連付けて記憶されている前記投影画像を前記記憶部から取り出す取出部と、前記取出部により取り出される前記投影画像を前記情報表示装置へ送信する送信部と、を備えたことを特徴とする情報出力システムである。
本発明によれば、センサが検出する所定の範囲にある車の分類番号を取得し、この取得した分類番号に関連付けて記憶されている情報を情報表示装置の表示部に表示するので、センサにより検出された車の分類番号に応じて提供する情報を切替えることが可能になる。
【０００７】
さらに、本発明は、投影手段により表示部に投影される投影画像を記憶する記憶部と、前記表示部の所定の範囲を検出するセンサから検出結果を受信する受信部と、前記受信部により受信される前記センサの検出結果を基に前記所定の範囲における人物の状況を解析する判断部と、前記判断部により前記所定の範囲における人物の状況に応じて前記記憶部から所定の前記投影画像を取り出す取出部と、投影手段により投影画像を前記表示部に投影する情報表示装置に対して前記取出部により取り出される前記投影画像を送信する送信部と、を備えたことを特徴とする情報出力装置である。
本発明によれば、センサによる検知結果に基づき、センサが検出する所定の範囲における人物の状況に応じて情報表示装置の表示部に表示される情報を切替えることが可能になる。
【０００８】
上記情報出力装置において、前記判断部は前記所定の範囲に人が存在するか否かを判断し、前記判断部により前記所定の範囲に人が存在するか否かに応じて前記取出部は前記記憶部から前記投影画像を取り出すことを特徴とする。
本発明によれば、センサによる検知結果に基づき、センサが検出する所定の範囲に人が存在する場合に情報表示装置の表示部に表示される情報を切替えることが可能になる。
【０００９】
上記情報出力装置において、前記記憶部は複数の情報を記憶しており、前記判断部は前記所定の範囲に存在する人の数を判断し、前記判断部により判断される人の数に相当する数の情報に応じて前記取出部は前記記憶部から前記投影画像を取り出すことを特徴とする。
本発明によれば、センサによる検知結果に基づき、センサが検出する所定の範囲に存在する人数に応じた数の情報（投影画像）を提供することが可能になる。
【００１０】
上記情報出力装置において、前記判断部は前記所定の範囲に存在する人の動く速度を判断し、前記判断部により判断される人の速度に応じて前記取出部は前記記憶部から前記投影画像を取り出すことを特徴とする。
本発明によれば、センサによる検知結果に基づき、センサが検出する所定の範囲に情報表示装置の表示部に表示された情報（投影画像）を閲覧してもらえる可能性の高い人が存在する場合に表示部に表示される情報を切替えることが可能になる。
【００１１】
上記情報出力装置において、前記判断部は前記所定の範囲に存在する人の推測年齢を判断し、前記判断部により判断される人の推測年齢に応じて前記取出部は前記記憶部から前記投影画像を取り出すことを特徴とする。
本発明によれば、センサによる検知結果に基づき、センサが検出する所定の範囲に存在する人の推定年齢に応じて情報表示装置の表示部に表示された情報（投影画像）を切替えることが可能である。一般に年齢に応じて興味のある対象が異なることから、年齢に応じた情報を表示装置に表示することは有益である。
【００１２】
さらに、本発明は、投影手段により表示部に投影される投影画像を車のナンバープレートに記された分類番号と該分類番号の内容に応じた前記投影画像とを関連付けて記憶する記憶部と、前記表示部の所定の範囲を検出するセンサから検出結果を受信する受信部と、前記受信部により受信される前記センサの検出結果を基に車のナンバープレートに記された前記分類番号を取得する取得部と、前記取得部により取得される前記分類番号に関連付けて記憶されている前記投影画像を前記記憶部から取り出す取出部と、投影手段により投影画像を前記表示部に投影する情報表示装置に対して前記取出部により取り出される前記投影画像を送信する送信部と、を備えたことを特徴とする情報出力装置である。
本発明によれば、センサが検出する所定の範囲にある車の分類番号を取得し、この取得した分類番号に関連付けて記憶されている情報を情報表示装置の表示部に表示するので、センサにより検出された車の分類番号に応じて提供する情報を切替えることが可能になる。
【００１３】
さらに、本発明は、投影手段により表示部に投影される投影画像を記憶部が記憶するステップ、前記表示部の所定の範囲を検出するセンサから検出結果を受信部が受信するステップ、前記受信部により受信される前記センサの検出結果を基に前記所定の範囲における人物の状況を判断部が解析するステップ、前記判断部により前記所定の範囲における人物の状況に応じて前記記憶部から所定の前記投影画像を取出部が取り出すステップ、投影手段により投影画像を前記表示部に投影する情報表示装置に対して前記取出部により取り出される前記投影画像を送信部が送信するステップ、を有することを特徴とする情報出力方法である。
本発明によれば、センサによる検知結果に基づき、センサが検出する所定の範囲における人物の状況に応じて情報表示装置の表示部に表示される情報を切替えることが可能になる。
【００１４】
さらに、本発明は、投影手段により表示部に投影される投影画像を記憶部が記憶する手順、前記表示部の所定の範囲を検出するセンサから検出結果を受信部が受信する手順、前記受信部により受信される前記センサの検出結果を基に前記所定の範囲における人物の状況を判断部が解析する手順、前記判断部により前記所定の範囲における人物の状況に応じて前記記憶部から所定の前記投影画像を取出部が取り出す手順、投影手段により投影画像を前記表示部に投影する情報表示装置に対して前記取出部により取り出される前記投影画像を送信部が送信する手順、を実行させることを特徴とする情報出力プログラムである。
本発明によれば、センサによる検知結果に基づき、センサが検出する所定の範囲における人物の状況に応じて情報表示装置の表示部に表示される情報を切替えることが可能になる。
【００１５】
また、本発明は、投影手段により表示部に投影される投影画像を記憶部が記憶する手順、前記表示部の所定の範囲を検出するセンサから検出結果を受信部が受信する手順、前記受信部により受信される前記センサの検出結果を基に前記所定の範囲における人物の状況を判断部が解析する手順、前記判断部により前記所定の範囲における人物の状況に応じて前記記憶部から所定の前記投影画像を取出部が取り出す手順、投影手段により投影画像を前記表示部に投影する情報表示装置に対して前記取出部により取り出される前記投影画像を送信部が送信する手順、を実行させる情報出力プログラムを記録したコンピュータが読み取り可能な記録媒体である。
本発明によれば、センサによる検知結果に基づき、センサが検出する所定の範囲における人物の状況に応じて情報表示装置の表示部に表示される情報を切替えることが可能になる。
【発明を実施するための最良の形態】
【００１６】
以下、本発明を実施するための実施の形態について図面を参照しつつ説明する。
図１（ａ）は、本発明の実施の形態における情報出力システムの構成を示すシステム構成図である。図１（ｂ）は、店舗および道路の上側からみた図１（ａ）の後述するサーモセンサの検出範囲を示す図である。ただし、図１は、例えば店舗の道路に面した窓ガラスに設けられたスクリーンに表示する情報を所定の範囲に存在する人の状況によって切替える情報出力システムである。
【００１７】
図１（ａ）に示すように、情報出力システム１は、サーバ装置（情報出力装置）２と、店舗の道路に面した窓ガラスに設けられたスクリーン５に広告などの情報をスクリーン５に対して道路の反対側から投影するプロジェクタ３と、スクリーン５に対して所定の範囲（検出範囲：例えば、図１（ｂ）に示すように、検出方向は店舗側から道路側に向かう方向であって、検出範囲の水平方向の幅がスクリーン５の水平方向の幅の１．５倍）を検知するサーモセンサ４と、を有している。サーモセンサ４は、検知結果をサーバ装置２へ出力する。また、サーバ装置２はスクリーン５に表示する広告などの情報をプロジェクタ３へ出力する。そして、プロジェクタ３は、サーバ装置２から受信した広告などの情報をスクリーン５に対して投影し、これによってスクリーン５に広告などの情報が表示される。
【００１８】
図２は図１（ａ）のサーバ装置２の装置構成を示す装置構成図である。図２に示すように、サーバ装置２は、ＣＰＵ（Ｃｅｎｔｒａｌ  Ｐｒｏｃｅｓｓｉｎｇ  Ｕｎｉｔ）２１と、ＲＯＭ（Ｒｅａｄ  Ｏｎｌｙ  Ｍｅｍｏｒｙ）２２と、ＲＡＭ（Ｒａｎｄｏｍ  Ａｃｃｅｓｓ  Ｍｅｍｏｒｙ）２３と、記憶装置２４と、インターフェース（Ｉ／Ｆ）２５とを有しており、これらはバスを介して接続することにより構成されている。
【００１９】
ＣＰＵ２１は演算や制御を行う中央演算装置である。ＲＯＭ２２は、読み出し専用のメモリであって、システムプログラムなどが記憶されている。ＲＡＭ２３は、読み出し・書き込み可能なメモリであって、ＣＰＵ２１が各種プログラムを実行する際のワークエリアなどがある。記憶装置２４は、ハードディスクなどであり、後述する図４の処理を実行するためのプログラム（情報出力プログラム）などを記憶している。インターフェース２５は、サーバ装置２をプロジェクタ３とサーモセンサ４との夫々に対して通信可能にするものである。
なお、後述する図４の処理を実行するためのプログラム（情報出力プログラム）を記録する記録装置（「コンピュータが読み取り可能な記録媒体」）として、ハードディスクの他に、フレキシブルディスク、光磁気ディスク、ＣＤ−ＲＯＭなどの可搬媒体などが挙げられる。
【００２０】
図３は図２に装置構成を示したサーバ装置２の機能構成を示す機能ブロック図である。図３に示すように、サーバ装置２は、提供情報データベース２ａ、検知結果受信部２ｂ、移動速度演算部２ｃ、対象人数演算部２ｄ、提供情報抽出部２ｅ、提供情報編集部２ｆ、および表示情報送信部２ｇとして機能する各部を有している。なお、提供情報データベース２ａは、図２の記憶装置２４により実現される。また、検知結果受信部２ｂ、および表示情報送信部２ｇは、夫々、インターフェース２５により実現される。さらに、移動速度演算部２ｃ、対象人数演算部２ｄ、提供情報抽出部２ｅ、および提供情報編集部２ｆは、夫々、ＣＰＵ２１により実現される。なお、移動速度演算部２ｃおよび対象人数演算部２ｄが判断部を構成する。
【００２１】
提供情報データベース２ａは、スクリーン５に対して所定の範囲に予め定められた速度（例えば、人が通常歩く速度の半分）以下で歩行（移動）している人が存在しない場合にプロジェクタ３がスクリーン５に投影する画像情報を記憶している。これとともに、提供情報データベース２ａは、スクリーン５に対して所定の範囲に予め定められた速度以下で歩行（移動）している人が存在する場合にプロジェクタ３がスクリーン５に投影する画像情報（例えば、動画像）を複数記憶している。
【００２２】
検知結果受信部２ｂは、サーモセンサ４からサーモセンサ４による検知結果を受信する。
移動速度演算部２ｃは、検知結果受信部２ｂにより受信されるサーモセンサ４の検知結果を予め定められた時間間隔で連続して取り込む。移動速度演算部２ｃは、サーモセンサ４の検知結果である温度分布を利用し、水平方向に一定以上の温度が連続している部分の夫々に人が存在すると判断する。そして、移動速度演算部２ｃは、連続して取り込んだ複数のサーモセンサ４の検知結果である温度分布を利用し、サーモセンサ４の検知結果を取り込む時間間隔と一定以上の温度が連続している部分の中心部分の移動量（サーモセンサ４の検出範囲の水平方向の長さに対する距離を予め設定しておく。）とを利用して、人が存在すると判断した水平方向に一定以上の温度が連続している部分の夫々の移動速度を求める。
【００２３】
対象人数演算部２ｄは、移動速度演算部２ｃによる演算結果を基に、サーモセンサ４で感知された夫々の人の移動速度と予め定められた速度（例えば、人が通常歩く速度の半分）とを比較する。そして、対象人数演算部２ｄは、比較結果を基に、移動速度が予め定められた速度以下の人数を求める。
なお、この実施の形態では広告などの情報を提供する対象者として、予め定められた速度以下で移動している人のみとしているが、移動速度に関係なくサーモセンサ４により検知される全ての人としてもよい。
【００２４】
提供情報抽出部２ｅは、対象人数演算部２ｄによる演算結果が０人である場合には提供情報データベース２ａから予め定められた速度以下で移動する人が存在しない場合に提供する画像情報を取り出す。また、提供情報抽出部２ｅは、対象人数演算部２ｄによる演算結果が１人以上である場合には提供情報データベース２ａから予め定められた速度以下で移動する人が存在する場合に提供する画像情報を人数分取り出す。
【００２５】
提供情報編集部２ｆは、提供情報抽出部２ｅが複数の画像情報を取り出した場合には、表示を複数に分割して各分割された部分に取り出した画像情報をはめ込んで表示情報を作成する。また、提供情報編集部２ｆは、提供情報抽出部２ｅが１つの画像情報のみを取り出した場合には、取り出した画像情報を表示情報とする。
表示情報送信部２ｇは、提供情報編集部２ｆにより作成された表示情報、あるいは、表示情報とされた情報をプロジェクタ３へ送信する。プロジェクタ３へ送信された表示情報は、プロジェクタ３によってスクリーン５に表示される。
【００２６】
図４は上述したサーバ装置２が行う情報出力の処理手順を示すフローチャートである。ただし、図４の処理が開始される前に提供情報データベース２ａには上述した各情報が記憶されている。
検知結果受信部２ｂはサーモセンサ４からサーモセンサ４の検知結果を受信する（ステップＳ１０１）。移動速度演算部２ｃはステップＳ１０１で検知結果受信部２ｂが受信しているサーモセンサ４の検知結果を予め定められた時間間隔で連続して取り込む。そして、移動速度演算部２ｃは、連続して取り込んだ複数のサーモセンサ４の検知結果である温度分布を利用して各人が移動している移動速度を求める（ステップＳ１０２）。
【００２７】
対象人数演算部２ｄは、移動速度演算部２ｃにより求められたサーモセンサ４で感知された夫々の人の移動速度と予め定められた速度とを比較する。そして、対象人数演算部２ｄは、比較の結果を基に、移動速度が予め定められた速度以下の人数を求める（ステップＳ１０３）。
【００２８】
提供情報抽出部２ｅは、対象人数演算部２ｄにより求められた人数が０人であるか否かを判断する（ステップＳ１０４）。対象人数演算部２ｄにより求められた人数が０人であると判断すると（Ｓ１０４：ＹＥＳ）ステップＳ１０５の処理へ進み、提供情報抽出部２ｅは提供情報データベース２ａから予め定められた速度以下で移動する人が存在しない場合に提供する画像情報を取り出す（ステップＳ１０５）。そして、提供情報編集部２ｆは、取り出した画像情報を表示情報とし（ステップＳ１０６）、ステップＳ１１２の処理へ進む。一方、対象人数演算部２ｄにより求められた人数が０人でない、つまり、所定の範囲に予め定められた速度以下で移動している人がいると判断すると（Ｓ１０４：ＮＯ）ステップＳ１０７の処理へ移動する。
【００２９】
提供情報抽出部２ｅは、さらに、対象人数演算部２ｄにより求められた人数が１人であるか、２人以上であるかを判断する（ステップＳ１０７）。対象人数演算部２ｄにより求められた人数が１人であると判断すると（Ｓ１０７：１人）、ステップＳ１０８の処理へ進み、提供情報抽出部２ｅは提供情報データベース２ａから予め定められた速度以下で移動する人が存在する場合に提供する画像情報の中から任意に１つ取り出す（ステップＳ１０８）。そして、提供情報編集部２ｆは、取り出した画像情報を表示情報とし（ステップＳ１０９）、ステップＳ１１２の処理へ進む。一方、対象人数演算部２ｄにより求められた人数が２人以上であると判断すると（Ｓ１０７：２人以上）、ステップＳ１１０の処理へ進み、提供情報抽出部２ｅは提供情報データベース２ａから予め定められた速度以下で移動する人が存在する場合に提供する画像情報の中から任意に人数分取り出す（ステップＳ１１０）。そして、提供情報編集部２ｆは、表示を人数分に分割して各分割された部分に取り出した画像情報をはめ込んで表示情報を作成し（ステップＳ１１１）、ステップＳ１１２の処理へ進む。
【００３０】
表示情報送信部２ｇは、提供情報編集部２ｆによって得られた表示情報をプロジェクタ３へ送信し（ステップＳ１１２）、プロジェクタ３へ送信された表示情報は、プロジェクタ３によってスクリーン５に表示される。そして、ステップＳ１０１の処理へ戻る。
【００３１】
以上説明したように、本実施の形態によれば、サーモセンサ４の検知結果によって表示する情報を切替えることが可能である。また、サーモセンサ４によって検知された人の人数に応じて提供される情報の数を切替えることが可能になる。さらに、予め定められた速度以下で歩行している人が存在する場合にスクリーン５に表示する情報を切替えることが可能になり、例えば、立ち止まりかけてスクリーン５の表示情報を見てくれそうな人に対して切替えた後の情報を提供することが可能になる。
【００３２】
なお、一般的な年齢の平均身長を利用して予め年齢と身長の範囲との関係を得、提供情報データベースに身長の範囲（推定年齢）とこの身長の範囲（推定年齢）の人に提供する情報とを関連付けて記憶しておく。そして、サーモセンサ４の検知結果である温度分布の垂直方向を利用して身長を求め、この身長を含む身長の範囲（推定年齢）に関連付けられた情報を提供情報データベースから取り出す。そして、取り出した情報をプロジェクタへ送信し、この取り出した情報がプロジェクタによってスクリーンに表示されるようにしてもよい。また、身長の範囲（推定年齢）ではなくて性別に対応した情報を提供するようにすることも考えられる。
【００３３】
また、提供情報データベースに人数とこの人数の場合に提供する情報とを関連づけて記憶しておく。そして、サーモセンサによる検知結果である温度分布を利用して人数を求め、この人数に関連付けられた情報を提供情報データベースから取り出す。そして、取り出した情報をプロジェクタへ送信し、この取り出した情報がプロジェクタによってスクリーンに表示されるようにしてもよい。例えば、ドライブスルーにおいて、サーモセンサにより車の搭乗者の数を検知し、その車の搭乗者の数に対する情報を提供するような場合が考えられる。
【００３４】
さらに、表示画像を切替えるのではなくて、提供情報データベースに表示画像に対する説明文を記憶しておき、サーモセンサによる検出結果である温度分布を基に人が存在すると判断すると、表示画像に説明文を合成して説明文が流れるようにしてもよい。
さらに、例えばスクリーン５の下側にボタンを設けるとともに、サーバ装置２に印刷装置を接続する。そして、サーバ装置２がボタンが人によって押されたと判断すると、サーバ装置２は現在スクリーン５に表示している広告などの情報を印刷装置へ出力し、印刷装置から印刷媒体に印刷してボタンを押した人に提供するようにしてもよい。
さらに、２つの赤外線センサを使用して空間を升目状にセンシングすることが可能なことから、サーモセンサの代わりに２つの赤外線センサを利用するようにしてもよい。この場合、２つの赤外線センサを使用して道路側のスクリーン５の正面を升目状にセンシングし、その各升目毎に物体が存在するか否かを判断し、時系列で物体の有無の切り替わりを判断して、人の移動速度を求めるようにすればよい。
赤外線センサの代わりにＣＣＤ（Ｃｈａｒｇｅ  Ｃｏｕｐｌｅｄ  Ｄｅｖｉｃｅ）センサを利用するような形態も考えられる。
【００３５】
以下、本発明を実施するための別の実施の形態について図面を参照しつつ説明する。
図５（ａ）は、本発明を実施するための別の実施の形態における情報出力システムの構成を示すシステム構成図である。図５（ｂ）は、トラックおよび道路の上側からみた図５（ａ）の後述するＣＣＤセンサの検出範囲を示す図である。図５（ｃ）は、図５（ａ）の後述するＣＣＤセンサの検出対象のナンバープレートの一例を示す図である。ただし、図５は、車のナンバープレートに記載された自動車の種別および用途による分類番号（車を分類する分類番号）に応じて表示する情報を切替える情報出力システムであって、情報出力システムはトラックに搭載されている。
【００３６】
図５に示すように、情報出力システム６は、サーバ装置（情報出力装置）７と、サーバ装置７を搭載したトラックなどの背面に設けられたスクリーン１０に広告などの情報をスクリーン１０に対して運転席側から投影するプロジェクタ８と、スクリーン１０に対して所定の範囲（検出範囲：例えば、図５（ｂ）に示すように、検出方向はトラックの背面方向であって、検出範囲の水平方向の幅はトラックの幅）を検知するＣＣＤセンサ９と、を有している。ＣＣＤセンサ９は、検知結果をサーバ装置７へ出力する。また、サーバ装置７はスクリーン１０に表示する広告などの情報をプロジェクタ８へ出力する。そして、プロジェクタ８は、サーバ装置７から受信した広告などの情報をスクリーン１０に対して投影し、これによってスクリーン１０に広告などの情報が表示される。
【００３７】
図６は図５（ａ）のサーバ装置７の装置構成を示す装置構成図である。図６に示すように、サーバ装置７は、ＣＰＵ７１と、ＲＯＭ７２と、ＲＡＭ７３と、記憶装置７４と、インターフェース（Ｉ／Ｆ）７５とを有しており、これらはバスを介して接続することにより構成されている。ＣＰＵ７１は演算や制御を行う中央演算装置である。ＲＯＭ７２は、読み出し専用のメモリであって、システムプログラムなどが記憶されている。ＲＡＭ７３は、読み出し・書き込み可能なメモリであって、ＣＰＵ７１が各種プログラムを実行する際のワークエリアなどがある。記憶装置７４は、ハードディスクなどであり、後述する図８の処理を実行するためのプログラム（情報出力プログラム）などを記憶している。インターフェース７５は、サーバ装置７をプロジェクタ８とＣＣＤセンサ９との夫々に対して通信可能にするものである。
なお、後述する図８の処理を実行するためのプログラム（情報出力プログラム）を記録する記録装置（「コンピュータが読み取り可能な記録媒体」）として、ハードディスクの他に、フレキシブルディスク、光磁気ディスク、ＣＤ−ＲＯＭなどの可搬媒体などが挙げられる。
【００３８】
図７は図６に装置構成を示したサーバ装置７の機能構成を示す機能ブロック図である。図７に示すように、サーバ装置７は、提供情報データベース７ａ、検知結果受信部７ｂ、分類番号識別部７ｃ、提供情報抽出部７ｄ、および提供情報送信部７ｅとして機能する各部を有している。なお、提供情報データベース７ａは、図６の記憶装置７４により実現される。また、検知結果受信部７ｂ、および提供情報送信部７ｅは、夫々、インターフェース７５により実現される。さらに、分類番号識別部７ｃ、および提供情報抽出部７ｄは、夫々、ＣＰＵ７１により実現される。
【００３９】
提供情報データベース７ａは、車を分類する分類番号毎に、車を分類する分類番号とこの分類番号の車の搭乗者に提供する情報とを関連付けて記憶する。
検知結果受信部７ｂは、ＣＣＤセンサ９からＣＣＤセンサ９による検知結果を受信する。
分類番号識別部７ｃは、検知結果受信部７ｂにより受信されるＣＣＤセンサ９の検知結果を予め定められた時間間隔で取り込む。そして、分類番号識別部７ｃは、取り込んだＣＣＤセンサ９の検知結果を利用して所定の範囲に車が存在するか否かを判断し、車が存在する場合には取り込んだＣＣＤセンサ９の検知結果を利用して図５（ｃ）に一例を示したその車のナンバープレートに記された分類番号を既知の文字認識技術を利用して識別して取得する。
【００４０】
提供情報抽出部７ｄは、提供情報データベース７ａから分類番号識別部７ｃによって識別されて得られる分類番号に関連付けて記憶されている情報を取り出す。
提供情報送信部７ｅは、提供情報抽出部７ｄによって提供情報データベース７ａから取り出される情報（表示情報）をプロジェクタ８へ送信する。プロジェクタ８へ送信された表示情報は、プロジェクタ８によってトラックの背面に設けられたスクリーン１０に表示される。
【００４１】
図８は上述したサーバ装置７が行う情報出力の処理手順を示すフローチャートである。ただし、図８の処理が開始される前に提供情報データベース７ａには上述した各情報が記憶されている。
検知結果受信部７ｂはＣＣＤセンサ９からＣＣＤセンサ９の検知結果を受信する（ステップＳ２０１）。分類番号識別部７ｃはステップＳ２０１で検知結果受信部７ｂが受信しているＣＣＤセンサ９の検知結果を取り込み、取り込んだＣＣＤセンサ９の検知結果を利用して所定の範囲に車が存在するか否かを判断する（ステップＳ２０２）。車が存在しないと判断すると（Ｓ２０２：ＮＯ）、ステップＳ２０３の処理へ進み、サーバ装置７は提供情報送信部７ｅの表示情報の送信を停止させ（ステップＳ２０３）、ステップＳ２０１の処理へ戻る。一方、車が存在すると判断すると（Ｓ２０２：ＹＥＳ）、ステップＳ２０４の処理へ進む。
【００４２】
分類番号識別部７ｃは、取り込んだＣＣＤセンサ９の検知結果を利用してその車のナンバープレートに記された分類番号を識別して取得する（ステップＳ２０４）。続いて、提供情報抽出部７ｄは、提供情報データベース７ａからステップＳ２０４において得られた分類番号に関連付けて記憶されている情報を取り出す（ステップＳ２０５）。そして、提供情報送信部７ｅは、ステップＳ２０５において提供情報データベース７ａから取り出された情報（表示情報）をプロジェクタ８へ送信し（ステップＳ２０６）、プロジェクタ８へ送信された表示情報は、プロジェクタ８によってスクリーン１０に表示される。そして、ステップＳ２０１の処理へ戻る。
【００４３】
以上説明したように、本実施の形態によれば、ＣＣＤセンサ９の検出結果を基に所定の範囲に車があればその車の分類番号を取得し、この取得した分類番号に関連付けて提供情報データベース７ａに記憶されている情報を表示するので、検出される車の分類番号に応じて提供する情報を切替えることが可能になる。
【００４４】
以上、本発明の好適な実施の形態について説明したが、本発明は上述の実施の形態に限られるものではなく、特許請求の範囲に記載されている範囲において様々な設計変更が可能なものである。例えば、第１および第２の実施の形態はサーバ装置を店舗内または車内に設ける場合を例示しているが、これに限らず外部にサーバ装置を設けるようにしてもよく、この場合には提供する情報を一元管理すること可能になる。
【図面の簡単な説明】
【００４５】
【図１】本発明の実施の形態の情報出力システムの構成を示すシステム構成図。
【図２】図１のサーバ装置の装置構成図。
【図３】図１のサーバ装置の機能構成図。
【図４】図１のサーバ装置の処理手順を示すフローチャート。
【図５】本発明の別の実施の形態の情報出力システムの構成を示すシステム構成図。
【図６】図５のサーバ装置の装置構成図。
【図７】図５のサーバ装置の機能構成図。
【図８】図５のサーバ装置の処理手順を示すフローチャート。
【符号の説明】
【００４６】
１，６  情報出力システム、２，７  サーバ装置、２ａ，７ａ  提供情報データベース、２ｂ，７ｂ  検知結果受信部、２ｃ  移動速度演算部、２ｄ  対象人数演算部、２ｅ，７ｄ  提供情報抽出部、２ｆ  提供情報編集部、２ｇ  表示情報送信部、３、８  プロジェクタ、４  サーモセンサ、５、１０  スクリーン、９  ＣＣＤセンサ、７ｃ  分類番号識別部、７ｅ  提供情報送信部
【図１】
2006235311.tif 000003
【図２】
2006235311.tif 000004
【図３】
2006235311.tif 000005
【図４】
2006235311.tif 000006
【図５】
2006235311.tif 000007
【図６】
2006235311.tif 000008
【図７】
2006235311.tif 000009
【図８】
2006235311.tif 000010